(57)【要約】【課題】            従来の電子錠の緊急解錠装置は、その機構が複雑で部品点数が増え、その分故障も発生し易く、また、製品価格が高騰してしまっていたという点である。【解決手段】        相対向する一対のプレートをスペーサを介して一定の間隔を保持して固定し、そのプレート間にねじ棒とガイド棒を設け、そのネジ棒とガイド棒が各々挿通される可動部材を備え、その可動部材の一部に一端を係合し、他端を一方のプレートに枢支して枢動自在とした操作ロッドを備え、前記したねじ棒にはモータ駆動される減速出力ギアと噛合され、その減速出力ギアによってねじ棒が回転され、可動部材を移動させて、操作ロッドを同期して枢動させ、その操作ロッドを電子錠における手動の閂部材操作子と係合させてあることとする。【選択図】          図７
2008285848.tif 000002
【特許請求の範囲】
【請求項１】
相対向する一対のプレートをスペーサを介して一定の間隔を保持して固定し、そのプレート間にねじ棒とガイド棒を設け、そのネジ棒とガイド棒が各々挿通される可動部材を備え、その可動部材の一部に一端を係合し、他端を一方のプレートに枢支して枢動自在とした操作ロッドを備え、前記したねじ棒にはモータ駆動される減速出力ギアと噛合され、その減速出力ギアによってねじ棒が回転され、可動部材を移動させて、操作ロッドを同期して枢動させ、その操作ロッドを電子錠における手動の閂部材操作子と係合させてあることを特徴とする電子錠の緊急解錠装置。
【請求項２】
前記したねじ棒の端部には、可動部材が解錠位置に到達した時に、可動部材とねじ棒の関係をフリー状態とするための括れ部が形成されていることを特徴とする請求項１に記載の電子錠の緊急解錠装置。
【請求項３】
前記したガイド棒の端部にはスプリングを装着し、モータの逆回転でねじ棒を逆転させた時に、可動部材を前記スプリングによってフリー状態からねじ棒と噛合させ、初期状態に復帰させる構成としてあることを特徴とする請求項１または請求項２に記載の電子錠の緊急解錠装置。
【請求項４】
前記した電子錠の緊急解錠装置はユニットとして電子錠本体のカバー内に組み込まれ、固定されることを特徴とする請求項１、請求項２または請求項３に記載の電子錠の緊急解錠装置。
【発明の詳細な説明】
【技術分野】
【０００１】
本発明は電子錠の緊急解錠装置に関し、特に建造物の出入口や各室の出入口に取り付けられ、無線電波や光を媒体として解錠、施錠の信号を送って閂部材（デッドボルト）を操作するタイプの電子錠の緊急解錠装置に関する。
【背景技術】
【０００２】
従来より電子錠は鍵と組み合わせる機械的な錠と異なり、鍵穴の存在が不要となるため、現在急増しているピッキング犯罪に対応するものとして多く使用されるようになっており、その施錠、解錠にはコードナンバー等が情報として乗せられている光線や無線電波を用いるものやテンキーを付けて暗唱番号を入力するもの、指紋や掌紋等の身体的特性を媒介とするもの等がある。
【０００３】
これらの電子錠はいずれもメモリーと入力された情報を比較し、閂部材（デッドボルト）を作動させて施錠、解錠を行なうが、現在では電子錠本体における内蔵バッテリーの電力が消耗してしまった場合に対処するものとして図８に示すような構造のものが知られている。
【０００４】
図８に示すのは現状における電子錠の設置構造の断面図であり、１はドアを示している。このドア１の屋内側上方には電子錠本体２が複数本のねじ３、３‥等の固定手段によって固定取り付けされている。また、図中４はドアフレームを示しており、このドアフレーム４には電子錠本体２から出入する閂部材（デッドボルト）５の先端を受け、施錠状態とする受穴６ａを形成した受金具６がねじ７、７‥等の固定手段によって固定取り付けされている。
【０００５】
また、図８にあって８は電子錠本体２に内蔵されている制御用の電子回路と接続されているケーブルであり、このケーブル８はドア１とドアフレーム４の隙間を通してその先端をドア１の屋外側面に固定してある。このケーブル８の先端には市販されている９Ｖ乾電池で電力を前記電子回路へ送る補助電力端子９ａ、９ｂ及びリモートコントローラ等とした電子キー１０の赤外線発光素子１１からの信号を受ける受光素子１２が備えられている。なお、１０ａは施錠スイッチ、１０ｂは解錠スイッチを示している。さらに、格別に図示していないが、前記した電子回路からはアンテナ線も延設されて、無線電波信号によっても対応することができるものとなっている。
【０００６】
この電子錠本体２にあって内蔵バッテリーが消耗してしまった場合には、ケーブル８の屋外側先端に備えられた補助電力端子９ａ、９ｂを利用することで電力を供給して解錠することが可能となる。さらに、電子キー１０を屋内に忘れた場合等は携帯電話機で室内の電話機に併設されている解錠器を介して、解錠暗号信号を送り、解錠することも可能となっている。尚、この解錠は無線電波を用いたリモートコントローラでも可能となる。
【０００７】
しかしながら、従来の電子錠にあっては内蔵バッテリーの消耗に対しては上記のように対処することができるが、電子回路やメカニズムが故障してしまった場合、解錠するための手段がなく、専門家を呼んで解錠してもらうこととなるが、その専門家の到着までの間は屋外に締め出し状態となってしまう虞があった。
【０００８】
係る点に鑑みて、近時、電子錠の緊急解錠装置が種々開発され、提案されているが、この従前における電子錠の緊急解錠装置はいずれも機構や動作が複雑なものとなっており、部品点数も増えるため故障を発生してしまうことも多く、また、製作に要する費用も高くなり、需要者には高価格の製品として提供される結果となっている。
【特許文献１】特願２００４−１０４４６号出願書類
【発明の開示】
【発明が解決しようとする課題】
【０００９】
本発明が解決しようとする問題点は、従来の電子錠の緊急解錠装置は、その機構が複雑で部品点数が増え、その分故障も発生し易く、また、製品価格が高騰してしまっていたという点である。
【課題を解決するための手段】
【００１０】
上記した問題点を解決するために、本発明に係る電子錠の緊急解錠装置は相対向する一対のプレートをスペーサを介して一定の間隔を保持して固定し、そのプレート間にねじ棒とガイド棒を設け、そのネジ棒とガイド棒が各々挿通される可動部材を備え、その可動部材の一部に一端を係合し、他端を一方のプレートに枢支して枢動自在とした操作ロッドを備え、前記したねじ棒にはモータ駆動される減速出力ギアと噛合され、その減速出力ギアによってねじ棒が回転され、可動部材を移動させて、操作ロッドを同期して枢動させ、その操作ロッドを電子錠における手動の閂部材操作子と係合させてあることを特徴としている。
【００１１】
また、本発明に係る電子錠の緊急解錠装置は前記したねじ棒の端部には、可動部材が解錠位置に到達した時に、可動部材とねじ棒の関係をフリー状態とするための括れ部が形成されていることを特徴とし、前記したガイド棒の端部にはスプリングを装着し、モータの逆回転でねじ棒を逆転させた時に、可動部材を前記スプリングによってフリー状態からねじ棒と噛合させ、初期状態に復帰させる構成としてあることを特徴とし、前記した電子錠の緊急解錠装置はユニットとして電子錠本体のカバー内に組み込まれ、固定されることを特徴としている。
【発明の効果】
【００１２】
本発明に係る電子錠の緊急解錠装置は上記のように構成されている。そのため、機構が非常にシンプルなものとなって部品点数も少なくて済み、故障を生じてしまう虞が少ないものとなっており、価格も低廉なものとして需要者に供給できる。また、この緊急解錠装置を作動させるための無線を受信する電子回路に、電子錠本体を作動させるものと同様の周波数を媒体としたリモートコントローラを登録すれば、緊急時でも電子錠を作動させるのと同一のリモートコントローラでの操作を実行することができることとなる。
【発明を実施するための最良の形態】
【００１３】
図面として示し、実施例で説明したように構成したことで実現した。
【実施例１】
【００１４】
次に、本発明の好ましい実施の一例を図面を参照して説明する。図１は本発明を実施した電子錠の緊急解錠装置を示すシステム構成図、図２は緊急解錠装置を組み込む前の電子錠の内部を示す図、図３は緊急解錠装置を組み込んだ後の電子錠の内部を示す図、図４は緊急解錠装置のメカユニットの斜視図、図５はねじ棒と稼動部材の構造を示す図、図６は通常のロッドの位置を示す図、図７は緊急解錠動作時のロッドの位置を示す図である。
【００１５】
まず、図１にあって１３は本発明を実施した緊急解錠装置を示しており、この緊急解錠装置１３はユニット化されて電子錠本体のケース２５内に収められカバー２６で封塞される。この緊急解錠装置１３には後述するモータ５３を駆動制御する回路基板１８がケーブル１４、１７をオス側の中継コネクタ１５及びメス側の中継コネクタ１６を介して電気的に接続されているもので簡単に着脱することを可能とし、電子錠本体の取り付けスペースを利用し、そのスペース内での装着ができるものとしている。
【００１６】
また、前記したモータ５３を駆動制御する回路基板１８はケーブル１９で緊急解錠装置１３の無線受信基版２０と接続され、この無線受信基版２０はケーブル２２によって電源供給端子２３と接続されるとともに、無線受信用のアンテナ２１を備えたものとなっている。
【００１７】
また、図２は緊急解錠装置１３を組み込む前の電子錠本体の内部を示す図で、Ａは平面図、Ｂは正面図となっている。２５は電子錠本体のケースを示し、このケース２５は取り付けスペーサ２４を介して取り付けねじ３１、３１によってドアの屋内側面に固着される。さらに、２６はカバーで、固定ねじ２７によりケース２５に取り付けられ、電子錠本体の内部機構を封塞している。
【００１８】
さらに、ケース２５内には乾電池２９を収納する電池ボックス２８が設けられており、３０は電子錠本体の制御回路基板を示している。そして、３５は電子錠の閂を示し、この閂３５は閂ガイド３４内を摺動可能となっている。３２は閂３５に取り付けられ、手動で閂ガイド２４のスリットに沿ってこの閂３５を操作することができるようにした操作子を示している。３３は閂ガイド３４の取付金具を示している。
【００１９】
ここで、アンテナ２１は電子錠の無線受信回路基板４１に接続され、この無線受信回路基板４１は前記した緊急解錠装置１３の無線受信回路基板２０と併用される。さらに、３８は電子錠の駆動モータを示しており、この駆動モータ３８にはクラッチギア３７を介して電子錠のギア３６を作動させ、閂３５を稼動させるものとしている。３９はマイクロスイッチを示し、３９ａは施錠位置検出用、３９ｂは解錠位置の検出用となっている。４０は電子錠のブザーを示しており、施錠、解錠を音声で知らせることができるものとしている。
【００２０】
次いで、図３は前記した電子錠本体に本実施例に係る緊急解錠装置１３を組み込んだ図であり、Ａは平面図、Ｂは正面図となっている。ユニットとされた緊急解錠装置１３は一対の上側と下側とからプレート４２、４３を有しており、このプレート４２、４３は切り欠き部を形成したものとされ、二本のスペーサ４４、４５によって一定の間隔を保持した状態でねじ４６ａ、４６ｂ、４６ｃ‥によって固定され、保形されたものとなっている。
【００２１】
この上プレート４２と下プレート４３の間にはモータ５３が取り付けられ、このモータ５３のモータ軸は減速ギアボックス５２の出力ギア５２ａを回転させ、この出力ギア５２ａはギア５４を回転させる。また、上プレート４２と下プレート４３の間にはねじ棒５０及びガイド棒５１が取り付けられており、前記ギア５４はねじ棒５０と噛合して、このねじ棒５０を回転させるものとなっている。尚、このねじ棒５０には上端寄りの途中部分を下端寄りに各々括れ部５０ａ、５０ｂが形成されている。
【００２２】
また、図中４９は可動部材であり、この可動部材４９は断面コ字状をしたものとなっており、その下方板に形成され、螺溝を形成した透孔にねじ棒５０の括れ部５０ａが嵌合され、かつ、ガイド棒５１が下方板と上方板を貫通した状態で取り付けられたものとなっている。
【００２３】
さらに、この可動部材４９のフック部分に先端を係合されて操作ロッド４７が設けられている。この操作ロッド４７の基端はＬ字状に屈曲されてワッシャー４８を介して上プレート４２の一端に形成された突片の透孔に枢支され、この枢支点を軸として枢動可能とされている。そして、この操作ロッド４７は通常操作子３２が施錠、解錠のいずれの方向に移動しても干渉することのない位置に初期的にセットされている。
【００２４】
緊急解錠装置１３に入力がなされると、モータ５３が起動し、ギア５４を回転させて噛合されているねじ棒５０が回転されると、その回転に伴なって前記螺合している透孔が作用し、可動部材４９は下降を開始し、その下降によって操作ロッド４７が枢動を開始するが、この枢動によって施錠状態位置にある操作子３２の上側面に当たり、徐々にこの操作子３２を押し下げて閂３５を下げ解錠を行なうものとなっている。
【００２５】
そして、ねじ棒５０が回転して可動部材４９を下降させ、この可動部材４９が解錠位置まで到達した時に、モータ５３の駆動による機構の動作を止めないと、オーバーランしてモータ５３やギア５４等の部品が破損してしまう虞がある。そこで、ねじ棒５０の下方側の括れ部５０ｂによって可動部材４９とねじ棒５０との関係をフリーとして破損防止を図っている。
【００２６】
さらに、この解錠状態から初期状態に復元させるためとして、ガイド棒５１の下端部分にはスプリング５５が装着されており、可動部材４９がねじ棒５０との関係でフリーとなっている状態でモータ５３を逆回転させると、ねじ棒５０は解錠作業とは逆回転するが、この時スプリング５５が作用して、可動部材４９をねじ棒５０の括れ部５０ｂから解放し、ねじ棒５０に沿わせることで、可動部材４９は上昇し、それに伴なって操作ロッド４７も復帰していき初期状態となる。
【産業上の利用可能性】
【００２７】
本発明に係る電子錠の緊急解錠装置はこのように構成されているので、上下方向に移動する電子錠の閂部材（デッドボルト）に対してのみでなく、左右方向でも実施でき、さらには附勢されて突出した部材を強制的に動作させる機構が必要な部位に応用実施することが可能である。
【図面の簡単な説明】
【００２８】
【図１】本発明を実施した電子錠の緊急解錠装置を示すシステム構成図である。
【図２】緊急解錠装置を組み込む前の電子錠の内部を示す図である。
【図３】緊急解錠装置を組み込んだ後の電子錠の内部を示す図である。
【図４】緊急解錠装置のメカユニットの斜視図である。
【図５】ねじ棒と稼動部材の構造を示す図である。
【図６】通常のロッドの位置を示す図である。
【図７】緊急解錠動作時のロッドの位置を示す図である。
【図８】従来の電子錠の取付構造を示す断面図である。
【符号の説明】
【００２９】
１    ドア
２    電子錠
３    ねじ
４    ドアフレーム
５    閂部材（デッドボルト）
６    受金具
６ａ  受穴
７    ねじ
８    ケーブル
９ａ  補助電力端子
９ｂ  補助電力端子
１０  電子キー
１０ａ  施錠スイッチ
１０ｂ  解錠スイッチ
１１  赤外線発光素子
１２  受光素子
１３  緊急解錠装置のユニット
１４  ケーブル
１５  中継コネクタ（オス側）
１６  中継コネクタ（メス側）
１７  ケーブル
１８  緊急解錠装置のモータ駆動制御回路基板
１９  ケーブル
２０  緊急解錠装置の無線受信基版
２１  アンテナ
２２  ケーブル
２３  電源供給端子
２４  電子錠の取付スペーサ
２５  電子錠のケース
２６  電子錠のカバー
２７  電子錠のカバー固定ねじ
２８  電子錠の電池ボックス
２９  電子錠の乾電池
３０  電子錠の制御回路基板
３１  電子錠の取付ねじ
３２  電子錠の操作子
３３  電子錠の円ガイドの取付金具
３４  電子錠の閂ガイド
３５  電子錠の閂
３６  電子錠のギア
３７  電子錠のクラッチギア
３８  電子錠のモータ
３９  電子錠のマイクロスイッチ
３９ａ  電子錠の施錠位置検出用マイクロスイッチ
３９ｂ  電子錠の解錠位置検出用マイクロスイッチ
４０  電子錠のブザー
４１  電子錠の無線受信回路基板
４２  上側プレート
４３  下側プレート
４４  スペーサ
４５  スペーサ
４６ａ  ねじ
４６ｂ  ねじ
４６ｃ  ねじ
４７  操作ロッド
４８  ワッシャー
４９  可動部材
５０  ねじ棒
５０ａ  ねじ棒の解錠位置括れ部
５０ｂ  ねじ棒の施錠位置括れ部
５１  ガイド棒
５２  減速ギアボックス
５２ａ  減速ギアボックスの出力ギア
５３  モータ
５４  ギア
５５  スプリング
【図１】
2008285848.tif 000003
【図２】
2008285848.tif 000004
【図３】
2008285848.tif 000005
【図４】
2008285848.tif 000006
【図５】
2008285848.tif 000007
【図６】
2008285848.tif 000008
【図７】
2008285848.tif 000009
【図８】
2008285848.tif 000010